(57)【要約】    【課題】  アームレストの先端が上下に振幅する。    【構成】  シート１の背凭シート３の側部に、横方向のカラー１０の外周にロックスプリング１１のコイル部１２を嵌合させ、コイル部１２とカラー１０との摩擦により高さ調節自在にするロック装置Ｌを有するアームレストを設け、前記ロック装置Ｌは、コイル部１２の自由端２０が背凭ブラケット６側に設けた切替カム溝２４に継脱することによりアンロック状態とロック状態とに切替自在に構成し、コイル部１２の固定側端部１５は背凭ブラケット６にステイ１４により前記コイル部１２の径が変化をするときも含めて固定側端部１５の変形を防止するように固定したアームレストの高さ調節装置。【選択図】    図１９
2005334301.tif 000002
【特許請求の範囲】
【請求項１】
シート１の背凭シート３の側部に、横方向のカラー１０の外周にロックスプリング１１のコイル部１２を嵌合させ、コイル部１２とカラー１０との摩擦により高さ調節自在にするロック装置Ｌを有するアームレストを設け、前記ロック装置Ｌは、コイル部１２の自由端２０を当接部材３０により背凭ブラケット６またはアームレストブラケット9 に設けたバネ取付用ブラケット１３の切替カム溝２４に継脱させてアンロック状態とロック状態とに切替自在に構成し、コイル部１２の固定側端部１５は前記バネ取付用ブラケット１３に固定のステイ１４により前記コイル部１２の径が変化をするときも含めて固定側端部１５の変形を防止するように固定したアームレストの高さ調節装置。
【請求項２】
請求項１において、前記ステイ１４は、前記バネ取付用ブラケット１３の側板５０と平行で該側板５０に固定される一対の板部５１を有し、一対の板部５１の間に固定側端部１５を嵌合挿入する嵌合溝５３を形成し、該嵌合溝５３の内幅は固定側端部１５の幅に合わせたアームレストの高さ調節装置。
【請求項３】
請求項２において、前記ステイ１４の嵌合溝５３は、一対の板部５１の間に凸部５４を設けて形成し、該凸部５４の前記固定側端部１５の挿入する側の起立面５６は、前記固定側端部１５と前記コイル部１２の境の屈曲部５７の形状に合わせて切り欠いて形成し、屈曲部５７が起立面５６に密着するように構成したアームレストの高さ調節装置。
【請求項４】
請求項１または請求項２または請求項３において、前記ステイ１４の一対の板部５１には上下に夫々伸びる舌片形状の案内部５８を形成し、前記板部５１および前記案内部５８のカラー１０側はコイル部１２の外形形状に合わせた円弧面５２に形成し、前記案内部５８の反カラー１０側の上下縁は夫々カラー１０の軸心と同芯上となる外側円弧面５９に形成し、該外側円弧面５９と同一円周状に配置して摺接する案内ピン６０を前記バネ取付用ブラケット１３の側板５０に設けたアームレストの高さ調節装置。
【発明の詳細な説明】
【技術分野】
【０００１】
本発明は、アームレストの高さ調節装置に係るものである。
【背景技術】
【０００２】
従来、背凭シートの側部に設けたアームレストの高さ調節を、コイルバネの摩擦を利用して行うものは公知である。（特許文献１）。
また、シャフトの外周に嵌合するコイル部および常にアームレストと一体回動する移動端部およびアームレストの移動用嵌合溝に継脱する自由端とにより構成したロックスプリングと、前記シャフト側に設けた自由端を移動用嵌合溝に係合させるアンロック用作動部材および移動用嵌合溝に係合した自由端を離脱させるアンロック解除部を設けた構成について提案されている（特許文献２）。
【特許文献１】実開平５−５３５４７号公報
【特許文献２】特開２００３−２９９５４７号公報
【発明の開示】
【発明が解決しようとする課題】
【０００３】
前記公知例は、摩擦力でアームレストの下動をロックする構成であるが、傾斜調節後にアームレストの先端が上下に振幅するという課題がある。
この原因の一つにロックスプリングの端部の固定方法に問題があることが判明した。
即ち、ロックスプリングは、固定側端部が固定されていることで、他端が自由端であっても、コイル部を巻き締めてロックするが、傾斜調節後にアームレストの基部を僅かでも回転させることで、固定側端部の固定部分が変形すると、この変形がコイル部に伝播し、その結果、コイル部が緩むことになる。そして、固定側端部の固定部分の変形量が傾斜調節後のアームレストの先端の上下振幅に影響するのである。
本願は、固定側端部の固定手段に特段の工夫をして、傾斜調節後にアームレストの先端が上下量を減少させて商品価値を向上させたものである。
【課題を解決するための手段】
【０００４】
本発明は、シート１の背凭シート３の側部に、横方向のカラー１０の外周にロックスプリング１１のコイル部１２を嵌合させ、コイル部１２とカラー１０との摩擦により高さ調節自在にするロック装置Ｌを有するアームレストを設け、前記ロック装置Ｌは、コイル部１２の自由端２０を当接部材３０により背凭ブラケット６またはアームレストブラケット9 に設けたバネ取付用ブラケット１３の切替カム溝２４に継脱させてアンロック状態とロック状態とに切替自在に構成し、コイル部１２の固定側端部１５は前記バネ取付用ブラケット１３に固定のステイ１４により前記コイル部１２の径が変化をするときも含めて固定側端部１５の変形を防止するように固定したアームレストの高さ調節装置としたものである。
本発明は、前記ステイ１４は、前記バネ取付用ブラケット１３の側板５０と平行で該側板５０に固定される一対の板部５１を有し、一対の板部５１の間に固定側端部１５を嵌合挿入する嵌合溝５３を形成し、該嵌合溝５３の内幅は固定側端部１５の幅に合わせたアームレストの高さ調節装置としたものである。
本発明は、前記ステイ１４の嵌合溝５３は、一対の板部５１の間に凸部５４を設けて形成し、該凸部５４の前記固定側端部１５の挿入する側の起立面５６は、前記固定側端部１５と前記コイル部１２の境の屈曲部５７の形状に合わせて切り欠いて形成し、屈曲部５７が起立面５６に密着するように構成したアームレストの高さ調節装置としたものである。
本発明は、前記ステイ１４の一対の板部５１には上下に夫々伸びる舌片形状の案内部５８を形成し、前記板部５１および前記案内部５８のカラー１０側はコイル部１２の外形形状に合わせた円弧面５２に形成し、前記案内部５８の反カラー１０側の上下縁は夫々カラー１０の軸心と同芯上となる外側円弧面５９に形成し、該外側円弧面５９と同一円周状に配置して摺接する案内ピン６０を前記バネ取付用ブラケット１３の側板５０に設けたアームレストの高さ調節装置としたものである。
【発明の効果】
【０００５】
請求項１の発明では、傾斜調節後にアームレスト４の先端の上下量を減少させて商品価値を向上させることができる。
請求項２の発明では、簡単な構成で固定側端部１５の変形を防止でき、コストを低くできる。
請求項３の発明では、固定側端部１５とコイル部１２の境目の屈曲部５７を起立面５６に密着させられるので、一層固定側端部１５およびコイル部１２の変形量を減少させられる。
請求項４の発明では、自由端２０が所定位置に位置するように、固定側端部１５を設定でき、取付（組立）が容易になり、取付精度も向上する。
【実施例１】
【０００６】
本発明の実施例を図面により説明すると、１は車両用等のシート、２は座席シート、３は座席シート２に傾斜角度調節自在に設けた背凭シート、４は背凭シート３の側部に設けたアームレストである。
前記アームレスト４は、背凭シート３の背凭骨格フレーム５の側部に設けた背凭ブラケット６に、左右方向のシャフト７を軸心として上下回動自在に取付け、シャフト７と背凭骨格フレーム５の取付け構成は任意である。
アームレスト４の構成も任意であるが、実施例では、本来使用される使用範囲Ａではアームレスト４の下方回動をロックして荷重を支受し、且つ、上方回動のみ自在にして高さ調節可能にし、使用範囲Ａの上限位置と同じかそれより間隔を置いて設けた格納範囲Ｂではアンロック状態になって上下回動自在とし、格納範囲Ｂから使用範囲Ａの最下方位置まで一旦下方回動可能であるが、最下方位置でロック可能状態に復帰させて使用範囲Ａでは上方回動のみ自在となるように構成している（図１）。
【０００７】
そのため、アームレスト４は、そのアームレストフレーム８の基部と背凭ブラケット６との間にロック装置Ｌを設ける。ロック装置Ｌは、シャフト７の外周に設けたカラー１０の外周にロックスプリング１１のコイル部１２を嵌合させ、ロックスプリング１１の摩擦によってロックし、摩擦解除によりアンロックとなって傾斜調節できるように構成されていればよく、その他の構成は任意である。
即ち、背凭ブラケット６またはアームレスト４のアームレストブラケット9 の何れかにバネ取付用ブラケット１３を固定し、バネ取付用ブラケット１３にはステイ１４を固定し、ステイ１４にロックスプリング１１の一端を係合させて固定側端部１５に形成し、ロックスプリング１１の他端は自由端２０に形成し、コイル部１２は、アームレスト４の下動に伴ってカラー１０が回転すると、締まる巻き方向に設定し、これにより、他端が自由端２０であってもアームレスト４を下方回動させようとすると、カラー１０とコイル部１２の内周との摩擦抵抗によりコイル部１２の直径を小にする方向に作用し、この摩擦抵抗によりアームレスト４の下方回動を阻止してロックさせる。
そのため、固定側端部１５は、「固定側」と表現されているが、これは自由端２０に対して区別して理解を容易にするための表現であり、位置不動を意味するものではなく、後述するように、バネ取付用ブラケット１３およびステイ１４を移動側（アームレスト４）に取付けると、シャフト７中心に固定側端部１５は移動する。
【０００８】
ところで、コイル部１２が通常の摩擦抵抗を発揮すると、アームレスト４の先端は下動しないのであるが、ステイ１４に係合させた固定側端部１５が動くと、コイル部１２が緩み、特に、傾斜調節してコイル部１２がロックした後、アームレスト４の先端が下がることがある。
前記ステイ１４は、ロックスプリング１１のコイル部１２の径の変化をするとき、固定側端部１５の変形を可及的に抑制するように構成し、傾斜調節後のアームレスト４の先端の下動を防止する。
ステイ１４は、前記バネ取付用ブラケット１３の側板５０と平行な一対の板部５１を側板５０に固定する（図３、図１９）。板部５１のカラー１０側はコイル部１２の外形形状に合わせた円弧面５２に形成する。一対の板部５１の間には固定側端部１５を嵌合挿入する嵌合溝５３を形成するための凸部５４を形成する。凸部５４は、内側の嵌合溝５３の内幅が固定側端部１５の幅と略一致して嵌合可能な範囲で可及的に狭く形成する。
【０００９】
また、実施例では、固定側端部１５および嵌合溝５３を角形状に形成し（図３、図１９）、一層互いに密着するようにし、固定側端部１５の変形を防止している。
凸部５４のカラー１０側の起立面５６は、側面視、固定側端部１５とコイル部１２の境の屈曲部５７の形状に合わせて切り欠いて形成し、屈曲部５７が起立面５６（図１９）に密着するように構成すると（図２３）、一層固定側端部１５の変形を防止できて好適である。
【００１０】
しかして、前記一対の板部５１の先端には上下に夫々伸びる舌片形状の案内部５８を形成する（図１９）。案内部５８は、そのカラー１０側は前記円弧面５２を延長させてそのまま円弧面５２として形成し、反対側の上下縁は夫々カラー１０の軸心と同芯上となる外側円弧面５９に形成する。外側円弧面５９には前記バネ取付用ブラケット１３の側板５０に設けた案内ピン６０を当接させる。
ステイ１４は、内側は円弧面５２がコイル部１２の外周により案内され、外側は案内部５８の外側円弧面５９が案内ピン６０により案内されて移動する（図１９）。したがって、固定側端部１５は必ず、カラー１０の中心に向いて円移動するので、この点でも、コイル部１２に対して固定側端部１５の変形を防止する。
【００１１】
即ち、ステイ１４（固定側端部１５）の位置は製造上の公差の存在によりずれるが、案内部５８と案内ピン６０によりステイ１４はカラー１０の軸心を中心とする円移動してコイル部１２がカラー１０の外周に密着するように初期設定し（図１９）、この状態で、ステイ１４をバネ取付用ブラケット１３の側板５０に溶接固定するので、正確に取付けられ、しかも、コイル部１２に対して固定側端部１５の変形を防止する。
【００１２】
しかして、前記ロック装置Ｌの自由端２０をアンロック位置に保持するように構成およびロック可能状態にする構成は夫々任意であるが、以下、一例を示す。
前記バネ取付用ブラケット１３は背凭ブラケット６に固定し、バネ取付用ブラケット１３には前記ロック装置Ｌの自由端２０をアンロック位置に保持するアンロック用カム面２２と該アンロック用カム面２２への係合を案内する案内カム面２３とを有する切替カム溝２４を形成する。
切替カム溝２４は、カラー１０の軸心と略平行に屈曲させた屈曲板部２５に形成し、屈曲板部２５はバネ取付用ブラケット１３に形成する。切替カム溝２４は、基本的にはカラー１０の軸心方向（左右方向）と平行に屈曲板部２５の先端側（左側）を開放したＵ型形状に形成する。
実施例では、屈曲板部２５はバネ取付用ブラケット１３の下側に形成し、図５、図７、図９、図１１、図１３、図１５、図１７、図１８は、下側から見た状態で図示しているが、屈曲板部２５の設置位置は図示に限定されない。
【００１３】
切替カム溝２４のアームレスト４の下方回動方向側（後側）にはカラー１０の軸心方向と略平行に前記アンロック用カム面２２を形成し、切替カム溝２４のアームレスト４の上方回動方向側（前側）には切替カム溝２４の開口方向（左方向）に至るに従いアンロック用カム面２２（後側）に近づくように傾斜させて案内カム面２３を形成する。
案内カム面２３の先端とアンロック用カム面２２の外端縁との間には自由端２０が通り抜け可能な隙間２６を設ける。
アンロック用カム面２２に続く屈曲板部２５は、後側に至るに従い屈曲板部２５の基部側（右側）に近づく傾斜面２７に形成している。
一方、シャフト７およびカラー１０には、アームレスト４の回動により回転移動して自由端２０に当接する当接部材３０を設ける。当接部材３０は、カラー１０に対して交差方向の板部材３１をカラー１０の端部に固定し、板部材３１には、切替カム溝２４に自由端２０を嵌合させるアンロック用当接部３２を設ける。アンロック用当接部３２はロック状態の自由端２０に当接し、自由端２０をコイル部１２の緩み方向に移動させ、アンロック用当接部３２により押された自由端２０は案内カム面２３により案内されて切替カム溝２４に嵌合する。
【００１４】
アンロック用当接部３２の端縁はアンロック用カム面２２の端縁と一致させ、アンロック用当接部３２の端縁まで自由端２０が案内カム面２３により案内されて移動すると、自由端２０はアンロック用当接部３２から外れて自由端２０それ自体の弾力によりアンロック用カム面２２に当接する。
また、アンロック用当接部３２を使用範囲Ａの上限位置と格納範囲Ｂの間にアームレスト４が位置するように配置すると、格納範囲Ｂの上限までアームレスト４を上動させなくても、アンロック状態にしてアームレスト４の下方回動が可能になって、操作性が著しく向上する。
また、アンロック保持面３３に続く板部材３１の後側周縁には交差方向の外れ防止面３４を設ける。外れ防止面３４は、切替カム溝２４および板部材３１の周縁の何れもから自由端２０が外れて作動不能状態になるのを防止する。
【００１５】
即ち、外れ防止面３４を設けないと、自由端２０が切替カム溝２４に係合し、しかも、アンロック保持面３３に当接状態で、格納位置より過剰回動が可能になり、アームレスト４が元の位置に戻らないメカロック状態になるが、外れ防止面３４によりアームレスト４の過剰回動を停止させ、メカロックを防止する。
この場合、アームレスト４がアームレスト４として本来使用される使用範囲Ａの上限位置までアームレスト４を上方回動させたとき自由端２０が切替カム溝２４に嵌合するように設定し、使用範囲Ａを越えた格納範囲Ｂでは常時自由端２０は切替カム溝２４に嵌合させてアンロック保持面３３により保持させる。
【００１６】
しかして、板部材３１の前側部分には前記切替カム溝２４のアンロック用カム面２２に係合している自由端２０をアンロック用カム面２２から離脱させて自由端２０を自由状態に復帰させるアンロック解除部３７を設ける。アンロック解除部３７は板部材３１の前端部をバネ取付用ブラケット１３に向けて屈曲させ屈曲部３８を形成し、屈曲部３８の先端より基部に至るに従い前側（上方回動方向側）に傾斜する傾斜解除面３９を形成し、傾斜解除面３９はアンロック用カム面２２の端縁より外側にまで位置させ、アンロック用カム面２２と当接部材３０とが相対的に移動することで自由端２０がアンロック解除部３７の傾斜解除面３９に案内されてアンロック用カム面２２（切替カム溝２４）より離脱させ、アンロック状態をロック可能状態にさせる。
なお、実施例では、前記バネ取付用ブラケット１３を背凭ブラケット６に固定しているが、前記したようにアームレストブラケット９に固定してもよく、この場合、当接部材３０は背凭ブラケット６に固定して、位置不動になる。
即ち、バネ取付用ブラケット１３と当接部材３０は相対的に一方が他方に対してシャフト７中心に回転して、固定側端部１５と自由端２０を相対的に回転させて直径を小にすればよく、バネ取付用ブラケット１３と当接部材３０の何れかを位置固定すればよい。また、カラー１０はロックスプリング１１と共に回転しても回転しなくても何れの場合でも、ロック装置Ｌは成立する。
【００１７】
次に実施例の作用を述べる。
アームレスト４は略水平位置を含む使用範囲Ａで使用状態となり、使用範囲Ａでは一旦最下方位置にアームレスト４を下方回動させると、ロック装置Ｌは作動状態となって、上方回動はできるが下方回動はロックして荷重を支持する。
したがって、一旦使用範囲Ａの最下方位置にアームレスト４を下方回動させてから、必要に応じてアームレスト４を上方回動させて、アームレスト４の高さ調節を行う。
次に、使用範囲Ａの最上位置までアームレスト４を上方回動させると、この位置がアームレスト４の下方回動をロックして荷重を支持する上側の限界位置であり、これを一旦越えると、格納範囲Ｂとなり、格納範囲Ｂでは上下何れの方向にもアンロック状態となる。
【００１８】
しかして、格納位置から使用状態にするには、前記のように、一旦使用範囲Ａの最下方位置にまでアームレスト４を下方回動させ、ロック装置Ｌを作動状態すればよく、その後は、前記の作動（操作）の反復となる。
しかして、ロック装置Ｌの作動を具体的に説明すると、背凭骨格フレーム５のブラケット６に左右方向のカラー１０の基部を固定し、カラー１０の外周にロックスプリング１１のコイル部１２を嵌合させ、ロックスプリング１１の一端をバネ取付用ブラケット１３に設けたステイ１４に係合させ、ロックスプリング１１の他端は自由端２０に形成し、コイル部１２はアームレスト４の上方回動に伴ってカラー１０が回転すると緩むように巻き方向を設定しているから、使用範囲Ａではアームレスト４を下方回動させようとすると、カラー１０の回転によりコイル部１２の内周とカラー１０の外周の摩擦抵抗が発生し、この抵抗によりコイル部１２の直径を小にするように作用し、この抵抗でアームレスト４の下方回動を阻止してロックさせる。
【００１９】
したがって、アームレスト４を上方回動させる高さ調節は自在であり、アームレスト４に掛かる荷重は下方回動を規制してロックする。
しかして、使用範囲Ａの最上位置までアームレスト４を上方回動させると、自由端２０にアームレスト４と共に回動する当接部材３０の板部材３１の後側のアンロック用当接部３２が当接し、アンロック用当接部３２は自由端２０を前側（緩み方向）に移動させる。
そのため、自由端２０はアンロック用当接部３２に押されてバネ取付用ブラケット１３の案内カム面２３に当接し、更にアンロック用当接部３２により押された自由端２０は案内カム面２３により弾力に抗して切替カム溝２４の内側に移動し、自由端２０はアンロック用当接部３２の端縁まで移動するとアンロック用当接部３２から外れ、自由端２０それ自体の弾力でアンロック用カム面２２に向かって移動して当接し、自由端２０が切替カム溝２４に嵌合すると、ロックスプリング１１の固定側端部１５および自由端２０は何れも不動状態になって、コイル部１２の直径は変化せず、ロック装置Ｌはアンロック状態となって、アームレスト４は上下何れの方向でも回動自在となる（勿論上方回動も自由）。
したがって、自由端２０が切替カム溝２４に嵌合する位置は、アームレスト４がアームレスト４として本来使用される使用範囲Ａの上限位置に設定しているから、使用範囲Ａを越えた格納範囲Ｂになると、常時自由端２０は切替カム溝２４に嵌合してアンロック状態となる。
【００２０】
しかして、アームレストフレーム８にはカラー１０を固定し、カラー１０には当接部材３０を固定し、当接部材３０には切替カム溝２４に嵌合している自由端２０を離脱させて自由状態に復帰させるアンロック解除部３７を設けているから、一旦ロック装置Ｌをアンロック状態にして、使用範囲Ａの最下方位置にまでアームレスト４を下方回動させると、アンロック解除部３７の傾斜解除面３９が自由端２０に当たり、傾斜解除面３９により自由端２０はアンロック用カム面２２に当たりながらカラー１０の軸方向に移動し、アンロック用カム面２２の端縁を過ぎると、自由端２０の弾力で隙間２６を通って切替カム溝２４から離脱し、ロック装置Ｌは作動状態となり、アームレスト４の下方回動をロックする。
【００２１】
この場合、アンロック用カム面２２は切替カム溝２４内の後部にカラー１０の軸心方向に対して交差方向の面形状に形成し、自由端２０はコイル部１２が緩むようにアンロック用カム面２２で押されているから、アンロック用カム面２２の端縁を過ぎると、自由端２０の弾力で隙間２６を通って切替カム溝２４から離脱し、これにより、コイル部１２の直径は元の小径状態に復帰し、ロック装置Ｌの作動状態となり、アームレスト４の下方回動をロックする。
以上のように、切替カム溝２４に自由端２０を継脱させる構成は、切替カム溝２４の形状と、自由端２０に当接する当接部材３０を設ければよいので、作動が確実で安価にできる。
また、アンロック用当接部３２と傾斜解除面３９との位置（距離）を変更した当接部材３０に交換するだけで、使用範囲Ａと格納範囲Ｂの設定変更可能となる。
【００２２】
しかして、ロックスプリング１１のコイル部１２がカラー１０に対して通常の摩擦抵抗を発揮すると、アームレスト４の先端は下動しないが、ステイ１４に係合させた固定側端部１５の部分が僅かでも動くことでコイル部１２が緩むとアームレスト４の先端が下がることがあり、特に、アンロック状態でアームレスト４を上動させて停止させた傾斜角度調節後は、固定側端部１５の部分が変形してアームレスト４の先端が下がることがある。
本願では、固定側端部１５を係止するステイ１４は、コイル部１２の径が変化をするときも含めて固定側端部１５の変形を可及的に抑制するように構成しているから、傾斜調節後のアームレスト４の先端の下動を防止する。
【００２３】
即ち、ステイ１４は、バネ取付用ブラケット１３の側板５０と平行な一対の板部５１を設け、一対の板部５１の間に固定側端部１５を嵌合挿入する嵌合溝５３を形成するための凸部５４を形成し、前記嵌合溝５３の内幅は固定側端部１５の幅と略一致させているから、ステイ１４の嵌合溝５３内で固定側端部１５は変形せず、コイル部１２が緩むのを防止する。
また、凸部５４（嵌合溝５３）の入口（カラー１０側）の起立面５６は、側面視、固定側端部１５とコイル部１２の境の屈曲部５７の形状に合わせて切り欠いて形成し、屈曲部５７が起立面５６に密着するように構成しているから、固定側端部１５の基部の変形も防止できる。
【００２４】
しかして、一対の板部５１の先端に上下に夫々伸びる舌片形状の案内部５８を形成し、板部５１および案内部５８のカラー１０側はコイル部１２の外形形状に合わせた円弧面５２に形成しており、また、案内部５８の反カラー１０側の上下縁は夫々カラー１０の軸心と同芯上となる外側円弧面５９に形成しているから、外側円弧面５９にバネ取付用ブラケット１３に設けた案内ピン６０を当接させたまま、固定側端部１５が所定位置に位置するようにステイ１４を移動させ、固定する。
【００２５】
即ち、ステイ１４（固定側端部１５）の位置は製造上の公差の存在により各ロック装置Ｌによって相違し、ずれたままステイ１４を固定すると、コイル部１２が緩み固定側端部１５の変形の原因となることがあるが、外側円弧面５９にバネ取付用ブラケット１３の側板５０に設けた案内ピン６０を当接させたままステイ１４を移動させるので、ステイ１４はカラー１０の軸心を中心とする円移動し、どの位置で固定しても、固定側端部１５は必ず、カラー１０の中心から放射方向に向き、この点で、コイル部１２に対して固定側端部１５の変形を防止する。
なお、前述した実施例は理解を容易にするため個別具体的に記載しているが、何れの記載表現等からも明示的でないという理由をもって、構成、作用等の要件を取捨選択するに当たり、限定されない。
【図面の簡単な説明】
【００２６】
【図１】シートの側面図。
【図２】一実施例のロック装置の分解斜視図。
【図３】同一部拡大分解斜視図。
【図４】アームレストと背凭骨格フレームの位置関係を示す側面図。
【図５】図４のロック装置の斜視図。
【図６】アームレストと背凭骨格フレームの位置関係を示す側面図。
【図７】図６のロック装置の斜視図。
【図８】アームレストと背凭骨格フレームの位置関係を示す側面図。
【図９】図８のロック装置の斜視図。
【図１０】アームレストと背凭骨格フレームの位置関係を示す側面図。
【図１１】図１０のロック装置の斜視図。
【図１２】アームレストと背凭骨格フレームの位置関係を示す側面図。
【図１３】図１２のロック装置の斜視図。
【図１４】アームレストと背凭骨格フレームの位置関係を示す側面図。
【図１５】図１４のロック装置の斜視図。
【図１６】アームレストと背凭骨格フレームの位置関係を示す側面図。
【図１７】図１６のロック装置の斜視図。
【図１８】切替カム溝と当接部材の位置関係図。
【図１９】ステイの位置調節状態の側面図。
【図２０】背凭ブラケットの斜視図。
【図２１】ロック装置の側面図。
【図２２】同平面図。
【図２３】ステイの一部を破断したロック装置の平面図。
【符号の説明】
【００２７】
１…シート、２…座席シート、３…背凭シート、４…アームレスト、５…背凭骨格フレーム、６…背凭ブラケット、７…シャフト、８…アームレストフレーム、９…アームレストブラケット、１０…カラー、１１…ロックスプリング、１２…コイル部、１３…バネ取付用ブラケット、１４…ステイ、１５…固定側端部、２０…自由端、２２…アンロック用カム面、２３…案内カム面、２４…切替カム溝、２５…屈曲板部、２６…隙間、２７…傾斜面、３０…当接部材、３１…板部材、３２…アンロック用当接部、３３…アンロック保持面、３４…外れ防止面、３７…アンロック解除部、３８…屈曲部、３９…傾斜解除面、５０…側板、５１…板部、５２…円弧面、５３…嵌合溝、５４…凸部、５６…起立面、５７…屈曲部、５８…案内部、５９…外側円弧面、６０…案内ピン。
【図１】
2005334301.tif 000003
【図２】
2005334301.tif 000004
【図３】
2005334301.tif 000005
【図４】
2005334301.tif 000006
【図５】
2005334301.tif 000007
【図６】
2005334301.tif 000008
【図７】
2005334301.tif 000009
【図８】
2005334301.tif 000010
【図９】
2005334301.tif 000011
【図１０】
2005334301.tif 000012
【図１１】
2005334301.tif 000013
【図１２】
2005334301.tif 000014
【図１３】
2005334301.tif 000015
【図１４】
2005334301.tif 000016
【図１５】
2005334301.tif 000017
【図１６】
2005334301.tif 000018
【図１７】
2005334301.tif 000019
【図１８】
2005334301.tif 000020
【図１９】
2005334301.tif 000021
【図２０】
2005334301.tif 000022
【図２１】
2005334301.tif 000023
【図２２】
2005334301.tif 000024
【図２３】
2005334301.tif 000025